(57)【要約】【課題】大掛かりな装置や高価な装置を用いることなく、落下させた痕跡が残るようにした携帯用電子機器を提案する。【解決手段】デジタルカメラ１０は、撮影レンズ２０などの機能部品が装着された本体ユニット１１に前後から前ケース１２と後ケース１３とが被せられる。カメラ本体１８の上面には前ケース１２及び後ケース１３の天板の一部が切り欠かれ、前ケース１２及び後ケース１３が本体ユニット１１に被せられた後に、外装化粧板２３が切り欠かれた個所１６ｃ，１７ｃに取り付けられる。外装化粧板２３には位置ずれ検知部材２６の一端が固定され、他端には本体ユニット１１に設けられた係合孔２８に係合される係合部２７が形成され、外装化粧板２３が切り欠かれた個所１６ｃ，１７ｃに取り付けられるときに、係合部２７が係合孔２８に係合される。【選択図】図３
2010211092.tif 000002
【特許請求の範囲】
【請求項１】
機能部品が装着された本体ユニットと、
前記本体ユニットを前後から覆うとともに、それぞれ１ヶ所以上の側面壁を有する前ケース及び後ケースと、
前記前ケース及び前記後ケースのそれぞれの前記側面壁又は側面壁が切り欠かれた個所で挟持された外装化粧板と、
前記外装化粧板に一端が固定されるとともに他端に前記本体ユニットと係合する係合部を有し、前記外装化粧板と前記本体ユニットとの間で位置ずれが生じたときに破損又は変形する位置ずれ検知部材と、
を備えたことを特徴とする落下の痕跡が残る携帯用電子機器。
【請求項２】
機能部品が装着された本体ユニットと、
前記本体ユニットを前後から覆うとともに、それぞれ１ヶ所以上の側面壁を有する前ケース及び後ケースと、
前記前ケース又は前記後ケースの前記側面壁に形成された取付孔より挿通され、先端に形成された係合部が前記本体ユニットと係合するとともに前記取付孔に固定される位置ずれ検知部材と、
を備え、
前記前ケース又は前記後ケースと前記本体ユニットとの間で位置ずれが生じたときに、前記位置ずれ検知部材が破損又は変形することを特徴とする落下の痕跡が残る携帯用電子機器。
【請求項３】
前記位置ずれ検知部材は、前記前ケースまたは後ケースのいずれかに設けられた確認窓から視認可能であることを特徴とする請求項１又は２記載の落下の痕跡が残る携帯用電子機器。
【請求項４】
機能部品が装着された本体ユニットと、
前記本体ユニットを前後から覆う前ケース及び後ケースと、
前記本体ユニット及び前記前ケース及び前記後ケースのうちのいずれか２つの部材の間に貼り付けられた紙片又は薄板状樹脂片と、
を備え、
落下衝撃によって前記紙片又は薄板状樹脂片が破損することを特徴とする落下の痕跡が残る携帯用電子機器。
【請求項５】
前記紙片又は薄板状樹脂片は、前記前ケースと前記後ケースに挟持された外装化粧板に設けられた確認窓から視認可能であることを特徴とする請求項４記載の落下の痕跡が残る携帯用電子機器。
【請求項６】
機能部品が装着された本体ユニットと、
前記本体ユニットを前後から覆う前ケース及び後ケースと、
前記本体ユニット及び前記前ケース及び前記後ケースのうちのいずれか２つの部材の間に所定の張力をもって張られた糸状部材と、
を備え、
落下衝撃によって前記糸状部材が破損することを特徴とする落下の痕跡が残る携帯用電子機器。
【請求項７】
前記糸状部材は、前記２つの部材の少なくともいずれか一方に設けられたネジに一端側が固定され、前記ネジに巻き付けられる長さを変えることによって、前記２つの部材間に所定の張力をもって張られたことを特徴とする請求項６記載の落下の痕跡が残る携帯用電子機器。
【請求項８】
前記糸状部材は、前記前ケースと前記後ケースに挟持された外装化粧板に設けられた確認窓から視認可能であることを特徴とする請求項６又は７記載の落下の痕跡が残る携帯用電子機器。
【請求項９】
機能部品が装着された本体ユニットと、
前記本体ユニットを前後から覆う前ケース及び後ケースと、
前記本体ユニット及び前記前ケース及び前記後ケースのうちの少なくとも２つの部材の間に配置され、落下衝撃によって破損する中空薄肉樹脂球体の内部に液体塗料が充填されたペイントボールと、
を備えたことを特徴とする落下の痕跡が残る携帯用電子機器。
【請求項１０】
前記ペイントボールは、前記前ケース又は後ケースに設けられた確認窓から視認可能であることを特徴とする請求項９記載の落下の痕跡が残る携帯用電子機器。
【請求項１１】
機能部品が装着された本体ユニットと、
前記本体ユニットを前後から覆う前ケース及び後ケースと、
前記前ケースと前記後ケースに挟持された外装化粧板と、
前記本体ユニット、前ケース、後ケース、及び外装化粧板に略囲まれたスペースに配置され、落下衝撃によって破損する中空薄肉樹脂球体の内部に液体塗料が充填されたペイントボールと、
を備えたことを特徴とする落下の痕跡が残る携帯用電子機器。
【請求項１２】
前記外装化粧板には前記ペイントボールの状態を視認可能な確認窓が設けられたことを特徴とする請求項１１記載の落下の痕跡が残る携帯用電子機器。
【請求項１３】
前記携帯用電子機器は、デジタルカメラであることを特徴とする請求項１乃至１２いずれかに記載の落下の痕跡が残る携帯用電子機器。
【発明の詳細な説明】
【技術分野】
【０００１】
本発明は、落下した際に破損又は変形して落下の事実の痕跡を残すようにした携帯用電子機器に関するものである。
【背景技術】
【０００２】
近年、携帯して使用する電子機器は、軽量化、小型化、薄型化が進んだため、その取り扱い中に落下させてしまう事故が多発しており、メーカーに持ち込まれる故障品の多くは落下が原因と思われるものが殆どである。しかし、材料や表面塗装技術などが向上したことにより、電子機器を落下させても外観に落下の痕跡が残らないことが多く、加えてユーザ自身に落下の認識がない場合は、故障原因の特定が非常に難しいという問題が生じている。なお、電子機器の例としては、デジタルスチルカメラやビデオカメラなどの撮影機器、ポータブルＣＤプレーヤやミニディスクプレーヤなどの携帯型音響機器、携帯電話機などの携帯型通信機器などがある。
【０００３】
一方、カメラにおいては手振れ補正機能付きが主流となりつつある。手振れ補正機能は、カメラに内蔵した加速度センサなどによってカメラに加えられた振動や衝撃の方向と大きさを検知し、それを基に撮影レンズによって結像される画像の位置を補正するものである。この加速度センサによる手振れ補正機能を用いて、カメラに落下衝撃が加えられことを検出し記録する装置及び方法が下記特許文献１に記載されている。また、下記特許文献２には、所定の質量を有する質量体と該質量体を変位自在に支持する支持体とからなる衝撃検知装置を電子機器に備えて、該電子機器に落下などによって外部から所定の衝撃力が加えられたときには前記支持体が永久変形して、強い衝撃力が掛かったことを機械的に記憶するようにした衝撃検知装置の構成が示されている。
【先行技術文献】
【特許文献】
【０００４】
【特許文献１】特開平０５−１８１１８０号公報
【特許文献２】特開２００６−２０８６４９号公報
【発明の概要】
【発明が解決しようとする課題】
【０００５】
しかしながら、上記特許文献１記載の方法は、機器によっては加速度センサなどを新たに設けなければならず、落下検知のためだけに設置するにはコスト的にもスペース的にも負担が大き過ぎる。また、上記特許文献２記載の方法は、それなりの重量を有する錘を設置するので、携帯用機器の軽量化に逆行することになり、また、組立時に支持体が変形しないように十分な注意をもって取扱わなければならず作業性が悪い。更に、慣性力によって作動するため自動車や電車等で乗車中に急ブレーキがあった場合に携帯用機器の姿勢によっては誤作動する可能性もある。
【０００６】
本発明は上記問題点に鑑み、大掛かりな装置や高価な装置を用いることなく、落下させた痕跡が残るようにした携帯用電子機器を提案する。
【課題を解決するための手段】
【０００７】
本発明による携帯用電子機器は、例えば、落下の痕跡が残るデジタルカメラであり、機能部品が装着された本体ユニットと、前記本体ユニットを前後から覆うとともにそれぞれ１ヶ所以上の側面壁を有する前ケース及び後ケースと、前記前ケース及び前記後ケースのそれぞれの前記側面壁又は側面壁が切り欠かれた個所で挟持された外装化粧板と、前記外装化粧板に一端が固定されるとともに他端に前記本体ユニットと係合する係合部を有し前記外装化粧板と前記本体ユニットとの間で位置ずれが生じたときに破損又は変形する位置ずれ検知部材とを備えたことを特徴とする。
【０００８】
または、機能部品が装着された本体ユニットと、前記本体ユニットを前後から覆うとともに、それぞれ１ヶ所以上の側面壁を有する前ケース及び後ケースと、前記前ケース又は前記後ケースの前記側面壁に形成された取付孔より挿通され先端に形成された係合部が前記本体ユニットと係合するとともに前記取付孔に固定される位置ずれ検知部材とを備え、前記前ケース又は前記後ケースと前記本体ユニットとの間で位置ずれが生じたときに、前記位置ずれ検知部材が破損又は変形することを特徴とする。前記位置ずれ検知部材は、前記前ケースまたは後ケースのいずれかに設けられた確認窓から視認可能である。
【０００９】
あるいは、前記本体ユニットと、前記前ケース及び後ケースと、前記本体ユニット及び前記前ケース及び前記後ケースのうちのいずれか２つの部材の間に貼り付けられた紙片又は薄板状樹脂片と、を備え、落下衝撃によって前記紙片又は薄板状樹脂片が破損するようにしても良い。前記紙片又は薄板状樹脂片は、前記前ケースと前記後ケースに挟持された外装化粧板に設けられた確認窓から視認可能とすると良い。
【００１０】
または、前記本体ユニットと、前記前ケース及び後ケースと、前記本体ユニット及び前記前ケース及び前記後ケースのうちのいずれか２つの部材の間に所定の張力をもって張られた糸状部材と、を備え、落下衝撃によって前記糸状部材が破損するようにしても良い。前記糸状部材は、前記２つの部材の少なくともいずれか一方に設けられたネジに一端側が固定され、前記ネジに巻き付けられる長さを変えることによって、前記２つの部材間に所定の張力をもって張られる。前記糸状部材は、前記前ケースと前記後ケースに挟持された外装化粧板に設けられた確認窓から視認可能であるようにすると良い。
【００１１】
あるいは、前記本体ユニットと、前記前ケース及び後ケースと、前記本体ユニット及び前記前ケース及び前記後ケースのうちの少なくとも２つの部材の間に配置され、落下衝撃によって破損する中空薄肉樹脂球体の内部に液体塗料が充填されたペイントボールと、を備えるようにすると良い。前記ペイントボールは、前記前ケース又は後ケースに設けられた確認窓から視認可能にすると良い。
【００１２】
または、前記本体ユニットと、前記前ケース及び後ケースと、前記前ケースと前記後ケースに挟持された外装化粧板と、前記本体ユニット、前ケース、後ケース、及び外装化粧板に略囲まれたスペースに配置され、落下衝撃によって破損する中空薄肉樹脂球体の内部に液体塗料が充填されたペイントボールと、を備えるようにすると良い。前記外装化粧板には前記ペイントボールの状態を視認可能な確認窓が設けられるようにすると良い。
【発明の効果】
【００１３】
本発明によれば、携帯用電子機器の外装部品の内側に僅かな工夫を施すだけで、誤作動することなく、電子機器を落下させた痕跡を残すことができる。
【図面の簡単な説明】
【００１４】
【図１】本発明によるデジタルカメラを前から見た外観を示す斜視図である。
【図２】デジタルカメラを裏面側から見た外観を示す斜視図である。
【図３】デジタルカメラの断面を示す模式図である。
【図４】別のデジタルカメラの一部断面を示す模式図である。
【図５】第３の実施形態を示すデジタルカメラの一部断面を示す模式図である。
【図６】第４の実施形態を示すデジタルカメラの一部断面を示す模式図である。
【図７】第５の実施形態を示すデジタルカメラの一部断面を示す模式図である。
【図８】第６の実施形態を示すデジタルカメラの一部断面を示す模式図である。
【発明を実施するための形態】
【００１５】
図１〜３に示すように、本発明によるデジタルカメラ（携帯用電子機器）１０は、本体ユニット１１に前後から前ケース１２と後ケース１３とが被せられる。前記前ケース１２及び後ケース１３は、略長方形の前板１４及び後板１５とそれぞれの四辺に立設された側面壁１６，１７とからなり、互いの側面壁をつき合わせて前記本体ユニット１１を覆い略直方体形状のカメラ本体１８が形成される。前記前板１４には、撮影レンズ２０と、ストロボ発光部２１、ファインダ対物窓２２が露呈して設けられる。カメラ本体１８の上面には前記前ケース１２及び後ケース１３の上側の側面壁（以下、天板と言う）１６ａ，１７ａの一部が切り欠かれ、切り欠かれた個所１６ｃ，１７ｃに外装化粧板２３が取り付けられ、電源ボタン２４とシャッタボタン２５が操作可能に設けられる。前記外装化粧板２３には位置ずれ検知部材２６の一端が固定され、他端に形成された係合部２７が前記本体ユニット１１に設けられた係合孔２８に係合される。また、カメラ本体１８の背面には、前記係合部２７と前記係合孔２８の係合状態を外部より確認するための確認窓３０、画像を表示するＬＣＤパネル３２、ファインダ接眼窓３３、撮影モードと再生モードとを切替える撮影再生切替ボタン３４が設けられている。この他に、ズーミングなどの撮影準備あるいは再生画面に関する操作などを行う各種操作ボタン３５が設けられているが説明は省略する。また、カメラ本体１８の底面には、画像データが記憶されるメモリカード３６が着脱自在に装填されるスロット（図示せず）が設けられ、撮影された画像データがメモリカード３６に書き込まれて保存される。
【００１６】
次に、前記デジタルカメラ１０の作用について説明する。デジタルカメラ１０は、前記位置ずれ検知部材２６に係わる装置以外は通常のデジタルカメラと同じであるから、撮影機能に関する詳細な説明は省略する。撮影レンズ２０などの機能部品が装着された本体ユニット１１に前記前ケース１２が被せられて固定される。前ケース１２が固定された本体ユニット１１に設けられたソケット（図示せず）に、後ケース１３に設けられた前記ＬＣＤパネル３２などの電気コードが接続されたプラグ（図示せず）が差し込まれて、本体ユニット１１と後ケース１３に設けられた電気部品が接続され、その後に、後ケース１３が前ケース１２と嵌合され固定される。このとき、前記前ケース１２及び後ケース１３の左右の側面壁や下側の側面壁（以下、底板と言う）１６ｂ，１７ｂは、例えば、止めネジ３８によって強固に固定されるが、前記天板１６ａ，１７ａには電源ボタン２４やシャッタボタン２５などの操作ボタンがあり、外観的に目立つために止めネジを露出できない。そこで、止めネジの本数を限りなく少なくする、あるいは爪係合にするなど工夫をした上で前記外装化粧板２３によって覆うことで美観を保つようにしているが、他の部分に比べて固定強度は弱く、カメラ本体１８を落下させたときの衝撃による歪みが最も大きく発生する。前記外装化粧板２３は前記前ケース１２と後ケース１３に挟持されるように取り付けられるが、この取り付け作業によって、前記外装化粧板２３に設けられた位置ずれ検知部材２６の先端に形成された係合部２７が、前記本体ユニット１１に設けられた係合孔２８に押し込まれ係合される。係合の状態は、前記前ケース１２又は前記後ケース１３を分解することなく、前記後ケース１３に設けられた確認窓３０から視認することができる。
【００１７】
前記デジタルカメラ１０を床や地面に落下させると、直接衝突する前記前ケース１２又は後ケース１３には大きな衝撃力が加わる。一方、前記本体ユニット１１は、前記前ケース１２及び後ケース１３に比べて重いため慣性力が大きく、それぞれが固有の動きをする。前記前ケース１２と後ケース１３に挟持された外装化粧板２３は前記衝撃力による歪みを最も大きく受け、外装化粧板２３に固定された前記位置ずれ検知部材２６は、前記本体ユニット１１と係合している前記係合部２７が、相互の部材のずれによって歪み前記係合孔２８との係合が外れたり、あるいは位置ずれ検知部材２６が変形したり折れたりしてしまう。この状態は、前記前ケース１２又は前記後ケース１３を分解しなくても、前記確認窓３０から視認することができるので、デジタルカメラ１０を落下させたことをユーザ自身が確認することができる。
【００１８】
次に、別の実施形態について説明するが、前記実施形態と同じものは同じ符号を用いるとともに説明を省略する。図４に示すように、デジタルカメラ（携帯用電子機器）４０は、本体ユニット１１に前ケース４２と後ケース４３とを前後から被せた後に、前記後ケース４３の天板４３ａに形成された取付孔４４から位置ずれ検知部材４５が挿入される。位置ずれ検知部材４５の先端に形成された係合部４６が前記本体ユニット１１に設けられた係合孔２８に位置合わせされた後に、位置ずれ検知部材４５の根元側に形成されたフランジ部４７が前記取付孔４４に嵌合し圧入されて固定される。この取り付け作業によって、前記係合部４６が、前記係合孔２８に押し込まれ係合される。係合の状態は、前記後ケース４３に設けられた確認窓３０から視認することができる。
【００１９】
前記デジタルカメラ４０を床や地面に落下させたとき、前記本体ユニット１１、前記前ケース４２及び前記後ケース４３にはそれぞれ異なる衝撃力が加わる。前記前ケース４２は前記本体ユニット１１に比較的強固に取り付けられているが、それに比べて前記後ケース４３の取付強度は弱いため、前記本体ユニット１１と前記後ケース４３の歪みの差は大きく、前記係合部４６と前記係合孔２８との係合が外れたり、あるいは位置ずれ検知部材４５が変形したり折れたりしてしまう。この状態は、前記前ケース４２又は前記後ケース４３を分解することなく、前記後ケース４３に設けられた確認窓３０から視認することができる。したがって、前記デジタルカメラ４０を床あるいは地面に落下させたか否かをユーザ自身が確認することができる。なお、前述のように、前記前ケース４２が前記本体ユニット１１に比較的強固に固定されている場合は、前記位置ずれ検知部材４５を前記後ケース４３の天板４３ａに取り付けることが好ましいが、前記前ケース４２に比べて前記後ケース４３の方が前記本体ユニット１１に強固に固定されている場合は、前記位置ずれ検知部材４５を前記前ケース４２の天板４２ａに取り付ける方が好ましい。つまり、前記位置ずれ検知部材４５は、カメラ本体を構成する部品の中で、カメラの落下衝撃によって最も大きな歪みが生じる２部品間に設けることが好ましい。
【００２０】
次に、第３の実施形態について説明するが、前記実施形態と同じものについては説明を省略する。図５に示すように、デジタルカメラ（携帯用電子機器）５０は、前ケース５２と後ケース５３とが本体ユニット５１に前後から被せられ、前ケース５２と後ケース５３の天板５２ａ，５３ａの合わせ部には外装化粧板５５を取り付ける開口５４が形成される。前記後ケース５３には、前記開口５４から露呈する位置に紙片貼付部５６が設けられ、前記本体ユニット５１に近接して配置される。前記紙片貼付部５６と前記本体ユニット５１とに跨って、矩形の紙片５７が貼り付けられる。前記紙片５７が貼り付けられた後に前記外装化粧板５５が前記開口５４に嵌合され、前記前ケース５２と後ケース５３とに挟持されるように取り付けられる。前記紙片５７には、落下注意などの文字が記されており、前記外装化粧板５５に設けられた確認窓５８より視認することができる。なお、前記紙片貼付部５６を前ケース５２と後ケース５３の両方に設けて、その間に前記紙片５７が貼り付けられるようにしても良い。
【００２１】
前記デジタルカメラ５０を床あるいは地面に落下させると、その衝撃により前記本体ユニット５１と前記後ケース５３とが別の動きをするので、前記紙片５７が破れる。紙片５７の状態は、前記前ケース５２又は前記後ケース５３を分解することなく、確認窓５８から視認することができるのであるから、紙片５７の破れをユーザ自身が確認することができる。なお、前記紙片５７は材質が紙であることに限るものではなく、前記後ケース５３及び前記本体ユニット５１とに貼り付けることができ、落下の衝撃によって破れるものであれば、例えば、プラスチックフィルムのような薄板状樹脂片でも良い。この場合、極薄の板状であれば形状にこだわるものではない。
【００２２】
次に、第４の実施形態について説明する。図６に示すように、デジタルカメラ（携帯用電子機器）６０は、前ケース６２と後ケース６３とが本体ユニット６１に前後から被せられ、前ケース６２の天板６２ａと後ケース６３の天板６３ａの合わせ部に外装化粧板６５を取り付ける凹部６４ａ，６４ｂが形成される。前記凹部６４ａにネジ６６が、凹部６４ｂにネジ６７が設けられ、前記ネジ６６及び６７には、それぞれ糸（糸状部材）６８の一端が巻きつけられ、前記糸６８は所定の張力によって前記ネジ６６と６７の間に張られる。前記糸６８の張力の調節は、前記ネジ６６，６７の一方を回すことで調節される。前記糸６８の張力の調節が済むと前記外装化粧板６５が前記凹部６４ａ，６４ｂに嵌合され、前記前ケース６２と後ケース６３とに挟持されるように取り付けられる。前記糸６８は、前記外装化粧板６５に設けられた確認窓６９より視認することができる。
【００２３】
前記デジタルカメラ６０を床あるいは地面に落下させると、その衝撃により前記前ケース６２と前記後ケース６３は別の動きをするので、前記凹部６４ａと凹部６４ｂの間にずれが生じて前記ネジ６６と６７は間隔が広がり前記糸６８が切れる。前記糸６８の状態は、前記前ケース６２又は前記後ケース６３を分解することなく、確認窓６９から視認することができるのであるから、前記糸６８が切れているか否かをユーザ自身が確認することができる。なお、糸６８が巻き付けられる前記ネジ６６，６７のいずれが一方を前記本体ユニット７１に設けるようにしても良い。
【００２４】
次に、第５の実施形態について説明する。図７に示すように、デジタルカメラ（携帯用電子機器）７０の本体ユニット７１の上面には、衝撃によって破損する中空薄肉樹脂球体の内部に液体塗料を充填したペイントボール７５を支持する支持枠７６が設けられ、支持枠７６に前記ペイントボール７５が載置される。この本体ユニット７１に前ケース７２と後ケース７３とが前後から被せられる。前記ペイントボール７５の上には前記前ケース７２の天板７２ａと後ケース７３の天板７３ａの間に開口７４が形成され、透明又は半透明のプラスチック製確認窓７７が嵌め込まれる。前記ペイントボール７５は確認窓７７を通して外部より視認できる。なお、前記開口７４は必ずしも前記前ケース７２と後ケース７３の間に設ける必要はなく、いずれか一方に設けても良い。あるいは、前記支持枠７６を前記前ケース７２と後ケース７３の間に設けても良い。また、前記開口７４及び前記確認窓７７を設けずとも良く、前記本体ユニット７１、前記前ケース７２、後ケース７３のいずれか２つ以上の間に挟まるように設けても良い。
【００２５】
前記デジタルカメラ７０を床あるいは地面に落下させると、その衝撃により本体ユニット７１と前記前ケース７２及び後ケース７３との間隙は狭まり、本体ユニット７１と前記前ケース７２及び後ケース７３との圧力によって前記ペイントボール７５が破損する。前記ペイントボール７５は中空薄肉樹脂球体が破れると内部に充填された液体塗料が周囲に付着し、前記確認窓７７にも付着するので、前記ペイントボール７５が破損したことは、カメラを分解すれば確実に判るが、前記確認窓７７を設ければ外部からでも一目瞭然に判るようになり、ユーザ自身も確認することがすることができる。
【００２６】
次に、第６の実施形態について説明する。図８に示すように、デジタルカメラ（携帯用電子機器）８０は、本体ユニット８１に前ケース８２と後ケース８３とが前後から被せられ、前ケース８２の天板８２ａと後ケース８３の天板８３ａの合わせ部に外装化粧板８５を取り付ける凹部８４が形成される。前記凹部８４の前記前ケース８２と後ケース８３との合わせ部には孔８６が設けられる。孔８６に前記ペイントボール７５が挿入され、前記ペイントボール７５は前記本体ユニット８１に載置される。前記ペイントボール７５が挿入された前記凹部８４に透明又は半透明のプラスチック製確認窓８７が嵌め込まれ、前記ペイントボール７５が確認窓８７を通して外部より視認できる。前記ペイントボール７５は、上下を前記確認窓８７と前記本体ユニット８１とに挟まれ、前後を前記前ケース８２と後ケース８３とに挟まれた状態になる。
【００２７】
前記デジタルカメラ８０を床あるいは地面に落下させると、その衝撃により前記本体ユニット８１、前ケース８２、後ケース８３の間隙は狭まり、その圧力によって前記ペイントボール７５が破損する。前記ペイントボール７５は中空薄肉樹脂球体が破れると内部に充填された液体塗料が周囲に飛散して付着し、前記確認窓８７にも付着するので、前記ペイントボール７５が破損したことは、外部から一目瞭然に判るようになる。
【００２８】
なお、前記外装化粧板２３，５５，６５，８５は、全体が透明又は半透明であっても良い、また、前記位置ずれ検知部材２６，４５、又は前記紙片５７、又は糸６８、又はペイントボール７５が設けられる位置は、前記カメラ本体１８の上面に限るものではなく、前記底板あるいは左右の側壁面に設けても良い。
【００２９】
前記実施形態は、携帯用電子機器としてデジタルカメラを挙げて説明したが、本発明はデジタルカメラやビデオカメラに限らず、ポータブルＣＤプレーヤやミニディスクプレーヤなどの携帯型音響機器、あるいは携帯電話機などの携帯型通信機器などにも採用可能である。
【符号の説明】
【００３０】
１０，４０，５０，６０，７０，８０  デジタルカメラ（携帯用電子機器）
１１，５１，６１，７１，８１  本体ユニット
１２，４２，５２，６２，７２，８２  前ケース
１３，４３，５３，６３，７３，８３  後ケース
１４  前板
１５  後板
１６，１７  側面壁
１６ａ，１７ａ，４２ａ，４３ａ，５２ａ，５３ａ，６２ａ，６３ａ，７２ａ，７３ａ，８２ａ，８３ａ  天板（側面壁）
１６ｂ，１７ｂ  底板（側面壁）
１６ｃ，１７ｃ  切り欠かれた個所
１８  カメラ本体
２３，５５，６５，８５  外装化粧板
２６，４５  位置ずれ検知部材
２７，４６  係合部
３０，５８，６９，７７，８７  確認窓
４４  取付孔
５４，７４  開口
５６  紙片貼付部
５７  紙片（薄板状樹脂片）
６４ａ，６４ｂ，８４  凹部
６６，６７  ネジ
６８  糸（糸状部材）
７５  ペイントボール
７６  支持枠
【図１】
2010211092.tif 000003
【図２】
2010211092.tif 000004
【図３】
2010211092.tif 000005
【図４】
2010211092.tif 000006
【図５】
2010211092.tif 000007
【図６】
2010211092.tif 000008
【図７】
2010211092.tif 000009
【図８】
2010211092.tif 000010